(57)【要約】【課題】薪を燃やしている薪ストーブにおいて木質ペレットを燃料として追加すること、即ち、共に、バイオマス（植物資源）を由来とする再生可能な循環型エネルギーである木質ペレットと薪を、同時に燃焼させることはできなかった。【解決手段】燃焼室２０のロストル２２の下面側から、ロストル２２の上の燃料に向けて燃焼用空気を送り込む第１空気取入口２４と、ロストル２２の上面側から、燃料に向けて燃焼用空気を送り込む第２空気取入口２５と、を備え、第２空気取入口２５は、燃焼室２０の上下方向に延在して形成されている。【選択図】図１
2019007696.tif 000002
【特許請求の範囲】
【請求項１】
燃焼室のロストルの下面側から、前記ロストルの上の燃料に向けて燃焼用空気を送り込む第１空気取入口と、
前記ロストルの上面側から、前記燃料に向けて燃焼用空気を送り込む第２空気取入口と、を備え、
前記第２空気取入口は、前記燃焼室の上下方向に延在して形成されていることを特徴とする燃焼装置。
【請求項２】
前記第２空気取入口から前記燃料に向けて送り込まれる燃焼用空気は、前記ロストルの平面中心部を回転軸とする回転流あるいは乱流である、請求項１に記載の燃焼装置。
【請求項３】
前記燃料として薪と木質ペレットが用いられ、前記木質ペレットは、前記燃焼室の前記ロストルの上方で、前記薪の積み上げ高さ以上の高さに位置するペレット供給口から、前記ロストルの上の前記薪に向けて落下し供給される、請求項１または２に記載の燃焼装置。
【発明の詳細な説明】
【技術分野】
【０００１】
この発明は、燃焼室を有する燃焼装置に関し、特に、薪と共に木質ペレットを燃焼材料として燃焼室で燃焼させる燃焼装置に関する。
【背景技術】
【０００２】
従来、石油等の化石燃料の代替エネルギーの一つである木質ペレットを燃料とするペレットストーブが知られている。木質ペレットは、木材の製造過程で発生する製材くずや、森林の育成過程で発生する間伐材等を原料として粉状に破砕したものを、乾燥させた後、例えば、直径約６ｍｍ、長さ約１０〜３０ｍｍの円筒状に圧縮成形することにより形成される。
この木質ペレットは、バイオマス（植物資源）を由来とする再生可能な循環型エネルギーであり、燃焼に際し化石燃料のように大気中の二酸化炭素を増加させることがない、つまり、木質ペレット燃焼時に放出する二酸化炭素は、原料となる木が生長する際に吸収した二酸化炭素と同等であり、地球全体の二酸化炭素の量は平衡している（所謂カーボンニュートラルの概念）ので、地球温暖化対策に有効であるとして、最近脚光を浴びている。
【０００３】
燃料として木質ペレットを用いるペレットストーブは、燃焼室の燃焼ポットにペレット燃料を供給し燃焼ポット下部より燃焼用空気を強制的に送り込むことにより、ペレット燃料の燃焼を促す燃焼システムであり、例えば、燃焼部に空気を送風する送風機を有する木質ペレット燃焼装置がある（特許文献１参照）。ペレットストーブにおいては、燃焼ポット下部からの強い風量により燃焼ポットには燃焼灰が貯まることがないため、連続して燃焼することが可能になっている。
また、カーボンニュートラルの概念に基づくストーブとして、以前から、木質ペレットと同様にバイオマス（植物資源）を由来とする再生可能な循環型エネルギーである薪を燃料とする、薪ストーブが知られている。薪を燃料とする薪ストーブは、燃焼用空気を強制的に供給することなく、煙突のドラフト（上昇気流）に伴って取り込まれる空気（自然給気）のみが、燃焼用空気として供給される。
【０００４】
このように、ペレットストーブと薪ストーブは、共に、バイオマス（植物資源）を由来とする再生可能な循環型エネルギー（木質ペレット、薪）を燃料にすることから、例えば、燃料の確保状況に応じて、木質ペレットと薪の何れも燃料として使用すること、即ち、薪を燃料として燃やしている薪ストーブに、薪の代わりに或いは薪に追加して木質ペレットを燃料として燃やすこと、ができることが望まれている。
【先行技術文献】
【特許文献】
【０００５】
【特許文献１】特開２００９−２４９８３号公報
【発明の概要】
【発明が解決しようとする課題】
【０００６】
しかしながら、薪を燃やしている薪ストーブにおいて木質ペレットを燃料として追加すること、即ち、薪と木質ペレットを同時に燃焼させることはできなかった。これは、木質ペレットの燃焼には、燃焼用空気を送風機で強制的に送り込むこと（強制給気）が必要であるのに対し、薪を燃焼中の薪ストーブには、煙突のドラフト（上昇気流）に伴って取り込まれる空気（自然給気）のみが、燃焼用空気として供給されるからである。
つまり、薪ストーブのように溜まった灰の上に薪が重なって燃焼している状態で、木質ペレットを供給すると、木質ペレットは灰の上に積み重なってしまうことになるので、木質ペレットに十分な燃焼用空気が供給されない虞があり、また、供給された木質ペレットが次々と燃焼中の木質ペレットに覆い被さって、燃焼用空気が遮断されてしまい、燃焼中の木質ペレットを消火してしまう虞があるからである。
【０００７】
この発明の目的は、溜まった灰の上でも木質ペレットを燃焼させることを可能にして、薪と木質ペレットを同時に燃焼させることができる燃焼装置を提供することである。
【課題を解決するための手段】
【０００８】
上記目的を達成するため、この発明に係る燃焼装置は、燃焼室のロストルの下面側から、前記ロストルの上の燃料に向けて燃焼用空気を送り込む第１空気取入口と、前記ロストルの上面側から、前記燃料に向けて燃焼用空気を送り込む第２空気取入口と、を備え、前記第２空気取入口は、前記燃焼室の上下方向に延在して形成されていることを特徴とする。
上記構成を有することにより、溜まった灰の上でも木質ペレットを燃焼させることを可能にして、薪と木質ペレットを同時に燃焼させることができる。
【０００９】
この発明の燃焼装置では、前記第２空気取入口から前記燃料に向けて送り込まれる燃焼用空気は、前記ロストルの平面中心部を回転軸とする回転流あるいは乱流である、ことが好ましい。この構成によれば、木質ペレットの燃焼に必要な燃焼用空気を木質ペレット全体に略均一に供給することができる。
この発明の燃焼装置では、前記燃料として薪と木質ペレットが用いられ、前記木質ペレットは、前記燃焼室の前記ロストルの上方で、前記薪の積み上げ高さ以上の高さに位置するペレット供給口から、前記ロストルの上の前記薪に向けて落下し供給される、ことが好ましい。この構成によれば、木質ペレットをペレット供給口から自動的に供給しても、供給された木質ペレットを、薪の陰になっているものも含めて薪と共に連続燃焼させることができる。
【発明の効果】
【００１０】
この発明によれば、溜まった灰の上でも木質ペレットを燃焼させることを可能にして、薪と木質ペレットを同時に燃焼させることができる燃焼装置を提供することができる。
【図面の簡単な説明】
【００１１】
【図１】この発明の一実施の形態に係る燃焼装置の概略構成を示す断面説明図である。
【図２】図１のストーブ本体の内部構成を概略的に示す断面説明図である。
【図３】図１の燃焼室に木質ペレットが供給される状態を、燃焼室内部を平面視で示す断面説明図である。
【図４】図１の燃焼室に形成した複数の第２空気取入口の配置例を示す断面説明図である。
【発明を実施するための形態】
【００１２】
以下、この発明を実施するための一実施の形態について図面を参照して説明する。
図１から図３に示すように、本実施形態のストーブ（燃焼装置）１０は、ストーブ本体１１と燃料庫１２を有しており、何れも内部空間を有する有底円筒形容器からなるストーブ本体１１と燃料庫１２を、横並びに離間させ配置（図１，３参照）すると共に、ストーブ本体１１に向かって下がり傾斜となる燃料供給路１３（図３参照）を介して連結している。これらストーブ本体１１と燃料庫１２は、有底円筒形容器に限るものではなく、例えば、箱形容器等、有底形状の各種容器を用いることができる。
【００１３】
このストーブ１０は、燃料（燃焼材料）として、バイオマス（植物資源）を由来とする再生可能な循環型エネルギーである木質ペレットＰ及び薪Ｗを主として用いており、ストーブ本体１１の内部で木質ペレットＰ及び薪Ｗを、それぞれ個別に或いは一緒に燃焼させることにより、ストーブ１０が設置された室内等を暖めることができる。
なお、本実施形態のストーブ１０にあっては、燃料として、木質ペレットＰや薪Ｗの他、例えば、庭木等の木材を細かく裁断したチップ、新聞紙等の紙材料を圧縮して形成した所謂ペーパーログ、或いは木質チップやもみがら等を圧縮して形成した人工薪等、種々のものを用いることが可能である。
【００１４】
本実施形態のストーブ本体１１には、上端面（天板面）に、本体内部空間（後述する燃焼室２０）に連通すると共に上方へ略垂直に伸びて外気に開口する排気用の煙突１４が突設され（図１，２参照）、例えば本体正面に、本体内部空間の開口となって本体内部空間に燃料（主として、薪Ｗ）を投入することができる燃料投入口１１ａが開けられていると共に、燃料投入口１１ａを開閉する蓋１５が設けられている（図１，３参照）。
なお、燃料投入口１１ａに代えて、或いは燃料投入口１１ａに加えて、例えばストーブ本体１１の上端面（燃焼室２０の天井面）に、燃料（主として薪Ｗ）を燃焼室２０に投入する投入口（図示しない）を設けても良い。
【００１５】
本実施形態の燃料庫１２は、上端面（天板面）の開口に、庫内上部に設けられたホッパ１６の開口となるペレット投入口１６ａを開閉する蓋１７が設けられており（図１参照）、この蓋１７を開けて、ペレット投入口１６ａからホッパ１６に木質ペレットＰを投入することにより、ホッパ１６に木質ペレットＰを一定量溜め置くことができる。
本実施形態のホッパ１６の下端は、ストーブ本体１１の本体内部空間（後述する燃焼室２０）に臨むペレット供給口１１ｂに連通しており、下端手前に設けられた、例えばドラム式ペレット供給装置１８の作動により、ホッパ１６に溜め置かれた木質ペレットＰが、ペレット供給口１１ｂへと送り出される（図１，３参照）。
【００１６】
このドラム式ペレット供給装置１８は、軸回転自在に軸支された回転体であるドラム１８ａを有しており、例えば、モータ駆動によりドラム１８ａを回転させ、ドラム１８ａの外周面に周方向に略等間隔で複数個所設けられた、外周面に開口する凹部状の受部１８ｂに、複数の木質ペレットＰを取り込み、取り込んだ木質ペレットＰをペレット供給口１１ｂに繋がる燃料供給路１３に落下させる。燃料供給路１３に落下した木質ペレットＰは、燃料供給路１３を、ペレット供給口１１ｂに向かう下り傾斜に沿って滑り落ち、ペレット供給口１１ｂから本体内部空間（後述する燃焼室２０）へと転げ落ちる（図１〜３参照）。なお、ドラム式ペレット供給装置１８に代えて、例えばスクリュー式ペレット供給装置（特許文献１参照）等の他の供給装置を用いても良い。
【００１７】
本実施形態において、ストーブ本体１１の内部は、内部下方に設けた燃焼ポット１９により、内部空間が、燃焼室（火気室）２０となる上部空間と、灰受皿格納室２１となる下部空間に二分されており、燃焼ポット１９の平面略中央には、周囲から一段下がった位置に、燃料となる木質ペレットＰや薪Ｗを載せて燃焼させる燃料棚としてのロストル（目皿）２２が設置されている（図１，２参照）。
このロストル２２に対し、本実施形態のペレット供給口１１ｂは、ロストル２２の上方、約５０〜１５０ｍｍの高さ、即ち、供給した薪Ｗの積み上げ高さ以上の高さに位置しており、ペレット供給口１１ｂから落下する木質ペレットＰのロストル２２迄の十分な落下距離を確保している。
【００１８】
なお、ペレット供給口１１ｂに代えて、或いはペレット供給口１１ｂに加えて、例えばストーブ本体１１の上端面（燃焼室２０の天井面）に、木質ペレットＰを燃焼室２０に投入する投入口（図示しない）を設けても良い。
本実施形態において、燃料供給路１３の、木質ペレットＰが滑り落ちるペレット供給口１１ｂに向かう下り傾斜面１３ａ（図１，３参照）は、平坦面形状に形成されている他、傾斜方向と直交する断面が、凹凸曲面を横並びに連続させた波板形状やＶ字状面を横並びに連続させた三角波板形状、或いは平坦面に複数の凹部や凸部を無作為に配置した凹凸面形状、としても良い。
【００１９】
更に、ペレット供給口１１ｂを、ストーブ本体１１の内周面（燃焼室２０の内周面）から燃焼室２０内部に向けて突出させても良く、突出形状も、上述した傾斜面１３ａの各種形状をそのまま延長させて形成する他、燃焼室２０内部で横幅方向に広げた扇形状（燃焼室２０内に向かう放射形状）に形成しても良い。これらの形状により、通常のフラットな燃料供給路に比べて燃料の木質ペレットＰの滑りが向上すると共に、一箇所に集中して落下することを防ぐことができる。
【００２０】
燃焼室２０は、ロストル２２の上の燃料が燃焼する火気室として機能し、灰受皿格納室２１には、燃料燃焼後にロストル２２から落下する灰ａを受けて溜め置く灰受皿２３が格納されている（図１，２参照）。灰受皿２３は、灰受皿格納室２１に開けられた灰受皿出入口２１ａから出し入れすることができ、灰受皿出入口２１ａは、蓋２１ｂにより開閉することができる。この蓋２１ｂを設けず、燃料投入口１１ａを開閉する蓋１５を下方へ延ばして形成することで、蓋１５が蓋２１ｂを兼ねてもよい。
【００２１】
本実施形態のストーブ本体１１は、灰受皿格納室２１に、ロストル２２の下面側から、ロストル２２の上の燃料（主として、木質ペレットＰ、薪Ｗ、木質ペレットＰ及び薪Ｗ）に向けて燃焼用空気を送り込む第１空気取入口２４と、燃焼室２０に、ロストル２２の上面側から、ロストル２２の上の燃料（主として、木質ペレットＰ、薪Ｗ、木質ペレットＰ及び薪Ｗ）に向けて燃焼用空気を送り込む第２空気取入口２５と、を備えている（図１，２参照）。以上は、全て一次燃焼用空気として用い、二次以降の燃焼用空気の空気取入口は、別途設けても良い。
【００２２】
本実施形態の第１空気取入口２４は、ストーブ本体１１の燃焼ポット１９の下方でロストル２２より低い位置に、ストーブ本体１１の表裏面を貫通する貫通孔として形成されており（図１参照）、ストーブ本体１１の外部からストーブ本体１１の灰受皿格納室２１へと燃焼用空気を取り込み、取り込んだ燃焼用空気を、ロストル２２の下面側からロストル２２に向けて送り込む。
本実施形態の第２空気取入口２５は、ストーブ本体１１の燃焼ポット１９の上方でペレット供給口１１ｂから所定距離を有してペレット供給口１１ｂの側方に、ストーブ本体１１の表裏面を貫通する貫通孔として形成されており（図１〜３参照）、ストーブ本体１１の外部からストーブ本体１１の燃焼室２０へと燃焼用空気を取り込み、取り込んだ燃焼用空気を、ロストル２２の上面側からロストル２２に向けて送り込む。この際、取り込む燃焼用空気は、その取り込み経路で温めて燃焼効率を高めると、より効果的である。
【００２３】
そして、本実施形態の第２空気取入口２５は、ストーブ本体１１の上下方向にロストル２２平面に対し略垂直に延在する、例えば、約２〜２０ｍｍ、好ましくは約５〜１０ｍｍの幅のスリット状に形成されており、その延在方向長さを、少なくとも、ロストル２２に載置される燃料（主として、木質ペレットＰ、薪Ｗ、木質ペレットＰ及び薪Ｗ）の最大高さに相当する長さ、例えば、燃焼室２０の高さ方向長さの約３０〜７０％の長さとし、開口方向が、燃焼室２０を形成するストーブ本体１１の壁厚方向に対し０〜８０度、好ましくは２０〜６０度の角度で、室内面側に傾斜して形成されている。
【００２４】
この第２空気取入口２５の延在方向範囲を、少なくとも、ロストル２２に載置した燃料（主として、木質ペレットＰ、薪Ｗ、木質ペレットＰ及び薪Ｗ）の高さに相当する範囲とすることで、ロストル２２に載置した燃料（主として、木質ペレットＰ、薪Ｗ、木質ペレットＰ及び薪Ｗ）の全範囲に確実に燃焼用空気を送り込むことができる。
このため、この第２空気取入口２５からストーブ本体１１の燃焼室２０へと取り込まれる燃焼用空気は、ストーブ本体１１の内部空間（本実施形態においては、円筒状空間）である燃焼室２０に、ストーブ本体１１の壁厚方向（燃焼室２０半径方向）に対し室内面側に傾斜して入り込ませることができ、傾斜角度に応じて、ストーブ本体１１の内面（本実施形態においては、内周面）に沿って燃焼室２０内を回り続けることになる（図２白抜き幅広矢印、図３黒矢印参照）。
【００２５】
つまり、第２空気取入口２５から燃料に向けて送り込まれる燃焼用空気は、ロストル２１の平面中心部を回転軸として、例えば、燃焼室２０内で渦巻状に流れる回転流あるいは乱流（ランダム流）となる。よって、第２空気取入口２５から送り込まれる燃焼用空気の流れは、ペレット供給口１１ｂから落下する木質ペレットＰの落下方向に影響を与えて、木質ペレットＰを、燃焼室２０のロストル２２上に満遍なく略均等に送り込むと共に、木質ペレットＰの燃焼に必要な燃焼用空気を木質ペレットＰ全体に略均一に供給することができる。燃焼用空気が、ロストル２２の灰ａ上の木質ペレットＰに略均一に供給されることにより、木質ペレットＰは渦を巻くように、例えばトルネード状あるいは乱流（ランダム流）状態燃焼炎を生じさせ、連続して供給される木質ペレットＰにも連続して着火することが可能になる。
【００２６】
この結果、ペレット供給口１１ｂから落下する木質ペレットＰは、ロストル２２迄の十分な落下距離を確保しているのに加え、第２空気取入口２５から回転流あるいは乱流（ランダム流）となって送り込まれる燃焼用空気の流れと火炎流により、ロストル２２に向かって落下する途中、ランダムに飛ばされることになり、落下したロストル２２の上に、重なり合うことなく適度にバラけて満遍なく広がった状態になる。
なお、第２空気取入口２５から送り込まれる回転流あるいは乱流（ランダム流）は、第２空気取入口２５の開口方向角度を、燃焼室２０を形成するストーブ本体１１の壁厚方向に対し０〜８０度にすることで、効果的に発生させることができ、２０〜６０度にすることで、更に効果的に、且つ、効率良く発生させることができる。
本実施形態において、第２空気取入口２５は、ペレット供給口１１ｂの側方に１個形成されているが、これに限るものではなく、例えば、ペレット供給口１１ｂを挟んで両側方に一個ずつ計２個等、任意の複数個所に複数個形成されていても良い。
【００２７】
本実施形態において、第２空気取入口２５は、ロストル２２の上面（平面）に対し略垂直に延在しているが、これに限るものではなく、例えば、略垂直に対し傾斜して延在していても良く、この場合、少なくとも、ロストル２２に載置した燃料（主として、木質ペレットＰ、薪Ｗ、木質ペレットＰ及び薪Ｗ）の高さに相当する高さ成分を確保していれば良い。
第２空気取入口２５が略垂直に対し傾斜して延在していることで、第２空気取入口２５から燃料に向けて送り込まれる燃焼用空気は、ロストル２１の上面に対し傾斜した上面（平面）中心部を回転軸とする傾斜回転流あるいは乱流（ランダム流）となり、例えば、ロストル２２に載置した燃料（主として、木質ペレットＰ、薪Ｗ、木質ペレットＰ及び薪Ｗ）の重なり合った空間等、ロストル２２の上面（平面）中心部を回転軸とする回転流では届き難い場所にも、効果的に燃焼用空気を送り込むことができる。
【００２８】
本実施形態において、第２空気取入口２５は、スリット状に形成されているが、これに限るものではなく、例えば、複数の貫通孔（開口形状は問わない）を一列（或いは複数列）に並べて形成しても良い。この場合も、スリットと同様に、第２空気取入口２５からストーブ本体１１の燃焼室２０へと燃焼用空気を取り込むことができる。
なお、ロストル２２平面に対し略垂直に延在している第２空気取入口２５に加え、ロストル２２平面に沿って延在する第３空気取入口２６を形成しても良く、この第３空気取入口２６をペレット供給口１１ｂの下方に位置させることにより、第３空気取入口２６から送り込まれる燃焼用空気を、ペレット供給口１１ｂから落下する木質ペレットＰに吹き付けて、木質ペレットＰのロストル２２上の落下点を、更に一箇所に集中させずに広く分散させることができる。
【００２９】
上述した本実施形態の第２空気取入口２５及び第３空気取入口２６は、ストーブ本体１１の形状、即ち、燃焼室２０の形状に対応して、最適な燃焼効率を得られる燃焼用空気の供給ができるように、その形状及び配置を調整する。本実施形態の第２空気取入口２５及び第３空気取入口２６からの燃焼用空気の供給は、自然給気又はファン等を介した強制給気で行うことができ、それに伴い、本実施形態のストーブ（燃焼装置）１０を自然給排気システム又は強制給排気システムの何れで形成しても良い。
【００３０】
また、第２空気取入口２５の開口方向を傾斜して形成することなく、第２空気取入口２５の燃焼室２０の室内面側に、室内面に対し所定傾斜角度を有して風向板（ルーバー）を設置しても良い。この風向板を設置することで、第２空気取入口２５からストーブ本体１１の燃焼室２０へと取り込まれる燃焼用空気は、ストーブ本体１１の内部空間（本実施形態においては、円筒状空間）に、ストーブ本体１１の壁厚方向に対し風向板傾斜角度で傾斜し入り込むことになる。
【００３１】
この風向板は、燃焼室２０の室内面に対する傾斜角度を任意に変えることが可能であり、風向板の傾斜角度を調整することで、燃焼室２０内に送り込む燃焼用空気が燃焼室２０の室内面に沿って流れる空気流となるようにすることができる。従って、室内面に対し所定傾斜角度を有して設置した風向板は、燃焼用空気を、燃焼室２０の室内面に対し所定傾斜角度を有して燃焼室２０内に送り込む、方向調整部として機能する。なお、この風向板は、第２空気取入口２５の開口方向を傾斜して形成するのに加えて設置しても良い。
【００３２】
続いて、この発明に係る燃焼装置における燃料の燃焼について説明する。この発明に係る燃焼装置では、バイオマス（植物資源）を由来とする再生可能な循環型エネルギーである、主として木質ペレットＰ及び薪Ｗを、それぞれ単独で或いは同時に、燃料として燃焼させることができる。
【００３３】
先ず、本実施形態のストーブ（燃焼装置）１０で、薪Ｗを単独で燃料として燃焼させる場合、ストーブ本体１１の蓋１５を開けて、燃料投入口１１ａから燃焼室２０のロストル２２へと薪Ｗを投じ、ロストル２２に載置した薪Ｗに着火する。着火は、例えば、着火剤等を用いて、或いは予めロストル２２に設置されている着火用ヒータ（図示しない）により、行う。
燃料として薪Ｗのみを用いる場合、第１空気取入口２４からロストル２２の下方の灰受皿格納室２１に送り込まれた燃焼用空気が、ロストル２１の下面側から薪Ｗに供給されることにより、薪Ｗが燃焼し、燃焼室２０からの排気は、煙突１４を介して屋外へと排出される。この際、第２空気取入口２５は、使用せずに塞いでおいてもいいし、補助燃焼用空気用として使用することもできる。
【００３４】
次に、本実施形態のストーブ（燃焼装置）１０で、木質ペレットＰを単独で燃料として燃焼させる場合、ドラム式ペレット供給装置１８を作動させてホッパ１６から燃焼室２０へと木質ペレットＰを送り込み、ロストル２２に載置した木質ペレットＰに着火する。ホッパ１６から燃焼室２０へと送り込まれた木質ペレットＰは、ペレット供給口１１ｂからロストル２２まで落下するが、この落下により、ロストル２２の上に重なり合うことなく適度にバラけて満遍なく広がった状態になる。
その上、第３空気取入口２６をペレット供給口１１ｂの下方に位置させて形成すれば、第３空気取入口２６から送り込まれる燃焼用空気で、ペレット供給口１１ｂから落下する木質ペレットＰの落下点を一箇所に集中させること無く分散させることができる。着火は、例えば、着火剤等を用いて、或いは予めロストル２２に設置されている着火用ヒータ（図示しない）により、行う。
【００３５】
燃料として木質ペレットＰのみを用いる場合、第２空気取入口２５からロストル２２の上方の燃焼室２０に送り込まれた燃焼用空気が、木質ペレットＰの上面側から木質ペレットＰに供給されることにより、木質ペレットＰが燃焼し、燃焼室２０からの排気は、煙突１４を介して屋外へと排出される。
一般的に、木質ペレットＰを燃料とするペレットストーブは、燃焼室の燃焼ポット下部から燃焼用空気を強制的に供給することにより、木質ペレットＰの燃焼を促す燃焼システム（強制給排気）であって、燃焼ポット下部からの強い風量により燃焼ポットには燃焼灰が溜まることがないため、連続燃焼が可能になっていた。従って、燃焼用空気が自然給気によって供給される薪ストーブ（自然給排気）において、溜まった灰の上で木質ペレットＰを燃焼させることは、木質ペレットＰの燃焼に必要な空気を供給することができないので、不可能であった。
【００３６】
つまり、ロストル２２の灰の上で木質ペレットＰのみを連続燃焼させることは、ロストル２２の下方から送り込まれる燃焼用空気が、灰によって木質ペレットＰ自体に十分に行き渡らず、燃焼用空気不足をもたらしてしまうので不可能であったが、本実施形態のストーブ１０にあっては、木質ペレットＰを重なり合うことなく満遍なく灰上にバラまくと共に、燃焼用空気も木質ペレットＰに満遍なく供給することができるので、ロストル２２の灰の上で木質ペレットＰのみであっても燃焼が可能になり、更に、連続燃焼も可能になる。特に、第３空気取入口２６をペレット供給口１１ｂの下方に位置させて形成すれば、木質ペレットＰをより効果的に灰上にバラまくことができる。
【００３７】
次に、本実施形態のストーブ（燃焼装置）１０で、燃料として薪Ｗと木質ペレットＰを同時に燃焼させる場合、例えば、ロストル２２に載置した薪Ｗの燃焼中に、追加燃料として木質ペレットＰを用いる場合、燃焼中の薪Ｗに向けてペレット供給口１１ｂから木質ペレットＰを落下させる。ペレット供給口１１ｂから落下する木質ペレットＰは、ドラム式ペレット供給装置１８により、自動的に、且つ、継続して落下する。
【００３８】
落下した木質ペレットＰは、燃焼中の薪Ｗに積み重なり、薪Ｗの火が燃え移って薪Ｗと共に燃焼し、木質ペレットＰが落下し続けることにより燃焼が継続する。落下し続ける木質ペレットＰは、落下先の、ロストル２２の灰の上に積み重なっている薪Ｗに邪魔されて、広く分散させることができずに一箇所に偏ってしまう虞があるが、ロストル２２迄の十分な落下距離を確保しているのに加え、第２空気取入口２５から回転流あるいは乱流（ランダム流）となって送り込まれる燃焼用空気により、落下点を一箇所に集中させずに広く分散させることができる。加えて、ペレット供給口１１ｂの下方に位置させて第３空気取入口２６を形成することで、落下し続ける木質ペレットＰを、より効果的にバラまくことができる。
【００３９】
このため、本実施形態のストーブ１０で、燃料として薪Ｗと木質ペレットＰを同じ場所で同時に燃焼させる場合も、木質ペレットＰのみを燃焼させる場合と同様に、木質ペレットＰを重なり合うことなく満遍なく灰上にバラまくと共に、燃焼用空気を木質ペレットＰに満遍なく供給できるので、木質ペレットＰをペレット供給口１１ｂから自動的に供給しても、供給された木質ペレットＰを、ロストル２２の灰の上で、薪Ｗの陰になっているものも含めて薪Ｗと共に連続燃焼させることができる。
燃焼室２０からの排気は、煙突１４を介して屋外へと排出される。
【００４０】
特に、ストーブ本体１１の燃焼室２０のペレット供給口１１ｂの周囲に、ロストル２２平面に対し略垂直に延在させ、また、略垂直に対し傾斜して延在させた第２空気取入口２５と共に、第３空気取入口２６も合わせて、複数個形成することにより、木質ペレットＰを薪Ｗと共に連続燃焼させる際も、灰上に置かれた薪Ｗ及び木質ペレットＰの上に燃焼用空気がくまなく行き渡って、燃焼用空気が届かない箇所を生じさせ難くすることができるので、薪Ｗ及び木質ペレットＰを同じ場所で同時に連続して、且つ、安定して燃焼させることができる。
【００４１】
このように、薪Ｗ及び木質ペレットＰを同じ場所で同時に燃焼させることにより、薪Ｗだけを燃やした場合に生じ易い薪Ｗの種類や状態による燃焼の偏りを、木質ペレットＰの燃焼が薪Ｗの燃焼の補助となって生じ難くすることができるので、薪Ｗの種類や状態にかかわらずに安定して燃やすことができ、また、薪Ｗの場合、燃え尽きる前に人手を介して追加投入する必要があるが、木質ペレットＰが自動的に投入追加されるので、薪Ｗの投入を怠ったとしても燃焼を持続することができ、更に、木質ペレットＰの燃焼により、薪Ｗが不完全燃焼したとしても、不完全燃焼ガスを再燃焼させることができる。
【産業上の利用可能性】
【００４２】
この発明によれば、溜まった灰の上でも木質ペレットＰを燃焼させることを可能にして、薪Ｗと木質ペレットＰを同時に燃焼させることができる、即ち、薪Ｗを燃料として燃やしている薪ストーブで、薪Ｗの代わりに或いは薪Ｗに追加して木質ペレットＰを燃料として燃やすことができるので、共に、バイオマス（植物資源）を由来とする再生可能な循環型エネルギーである、木質ペレットＰと薪Ｗを、更には、例えば、庭木等の木材を細かく裁断したチップ、新聞紙等の紙材料を圧縮して形成した所謂ペーパーログ、或いは木質チップやもみがら等を圧縮して形成した人工薪等、種々のものを、何れも燃料として使用することができる燃焼装置に最適である。
【符号の説明】
【００４３】
１０  ストーブ（燃焼装置）、  １１  ストーブ本体、  １１ａ  燃料投入口、  １１ｂ  ペレット供給口、  １２  燃料庫、  １３  燃料供給路、  １３ａ  傾斜面、  １４  煙突、  １５  蓋、  １６  ホッパ、  １６ａ  ペレット投入口、  １７  蓋、  １８  ドラム式ペレット供給装置、  １８ａ  ドラム、  １８ｂ  受部、  １９  燃焼ポット、  ２０  燃焼室（火気室）、  ２１  灰受皿格納室、  ２２  ロストル（目皿）、  ２３  灰受皿、  ２４  第１空気取入口、  ２５  第２空気取入口、  ２６  第３空気取入口、  Ｐ  木質ペレット、  Ｗ  薪、  ａ  灰
【図１】
2019007696.tif 000003
【図２】
2019007696.tif 000004
【図３】
2019007696.tif 000005
【図４】
2019007696.tif 000006